(57)【特許請求の範囲】
【請求項１】
遊技領域（６ａ）に向けて遊技球を発射する発射手段（８）と、該発射手段（８）の発射強度を調整するための遊技者が操作可能な発射ハンドル（１４）とを備え、前記発射ハンドル（１４）は、遊技機本体（１）の前側に固定されるハンドルベース（６１）と、該ハンドルベース（６１）に対して回転自在に装着される回転操作部（６２）と、該回転操作部（６２）を反操作方向に付勢する戻し付勢手段（６３）とを備え、前記発射手段（８）は前記戻し付勢手段（６３）の付勢力に抗して操作された前記回転操作部（６２）の回転角度に応じて作動するように構成された弾球遊技機において、前記回転操作部（６２）の外周面に対向するように前記遊技機本体（１）上に設けられ且つ所定のコイン（８５）をその一端側で保持する保持部（８６）と、前記回転操作部（６２）の外周面側に設けられ且つ前記保持部（８６）に保持された前記コイン（８５）の他端側に係合して前記回転操作部（６２）の反操作方向への回転を規制する係合部（８２）とを備え、前記係合部（８２）を前記回転操作部（６２）の周方向に複数設けたことを特徴とする弾球遊技機。
【発明の詳細な説明】
【技術分野】
【０００１】
本発明は、パチンコ機、アレンジボール機等、遊技者による発射ハンドルの操作量に応じた発射強度で遊技球を発射するように構成された弾球遊技機に関するものである。
【背景技術】
【０００２】
パチンコ機等の弾球遊技機は、遊技領域に向けて遊技球を発射する発射手段と、遊技者がその発射手段の発射強度を調整するための発射ハンドルとを備え、発射ハンドルの操作量に応じた発射強度で遊技球が発射されるようになっている。
【０００３】
この発射ハンドルは、遊技機本体前側の遊技者が操作し易い位置、例えば右下方に前向き突出状に設けられており、遊技機本体に固定されるハンドルベースと、このハンドルベースに回転自在に装着される回転操作部と、この回転操作部を反操作方向に付勢する戻しバネとを備え、遊技者が戻しバネの付勢力に抗して回転操作部を回転させると、その回転角度に応じた発射強度となるように発射手段が制御されるように構成されている（特許文献１参照）。
【特許文献１】特開２００６−３４５９８９号公報
【発明の開示】
【発明が解決しようとする課題】
【０００４】
以上のように、遊技者は戻しバネに抵抗する方向に力をかけつつ回転操作部を所定位置で保持し続けなければならないため、手が疲労して長時間遊技を継続することが難しいという問題がある。
【０００５】
そのため、遊技者の中には、回転操作部とハンドルベースとの隙間等に異物を挟み込んで回転操作部を所定位置で固定し、回転操作部に単に手を添えただけの状態で遊技を行う者がある。
【０００６】
しかしながら、発射ハンドルはそのような異物の挟み込みを想定した構造とはなっていないため、無理な異物の押し込みによって回転部分の変形や破損が生じ、正常な操作ができなくなる恐れがあった。
【０００７】
本発明は、上記事情に鑑みてなされたものであり、その目的とするところは、発射ハンドルの変形や損傷を生じさせることなく、回転操作部を任意の回転位置で容易に固定できる弾球遊技機を提供することにある。
【課題を解決するための手段】
【０００８】
本発明は、遊技領域６ａに向けて遊技球を発射する発射手段８と、該発射手段８の発射強度を調整するための遊技者が操作可能な発射ハンドル１４とを備え、前記発射ハンドル１４は、遊技機本体１の前側に固定されるハンドルベース６１と、該ハンドルベース６１に対して回転自在に装着される回転操作部６２と、該回転操作部６２を反操作方向に付勢する戻し付勢手段６３とを備え、前記発射手段８は前記戻し付勢手段６３の付勢力に抗して操作された前記回転操作部６２の回転角度に応じて作動するように構成された弾球遊技機において、前記回転操作部６２の外周面に対向するように前記遊技機本体１上に設けられ且つ所定のコイン８５をその一端側で保持する保持部８６と、前記回転操作部６２の外周面側に設けられ且つ前記保持部８６に保持された前記コイン８５の他端側に係合して前記回転操作部６２の反操作方向への回転を規制する係合部８２とを備え、前記係合部８２を前記回転操作部６２の周方向に複数設けたものである。
【発明の効果】
【０００９】
本発明によれば、遊技者は、戻し付勢手段６３の付勢力に抗して回転操作部６２を保持し続けなくても一定の発射強度で遊技球を発射し続けることができる。また、回転操作部６２を固定するためにコイン８５を発射ハンドル１４の隙間等に無理に挟み込む必要がないため、発射ハンドル１４の変形や損傷を生じさせることなく、回転操作部６２を任意の回転位置で容易に固定できる。
【発明を実施するための最良の形態】
【００１０】
以下、本発明の実施形態を図面に基づいて詳述する。図１〜図８は本発明をパチンコ機に採用した第１の実施形態を例示している。図１及び図２において、遊技機本体１は、矩形状の外枠２と、この外枠２の左右一側、例えば左側のヒンジ３を介して縦軸心廻りに開閉自在及び着脱自在に枢着された内枠４とを備えている。
【００１１】
内枠４には、その上部側に設けられた上部装着部５に遊技盤６が、その上部装着部５の下側に設けられた下部装着部７に発射手段８等が夫々配置されており、その内枠４の前側には、上部装着部５に対応するガラス扉９と、下部装着部７に対応する下部開閉扉１０とがヒンジ３と同じ側のヒンジ１１により開閉自在及び着脱自在に枢着されている。ガラス扉９には、遊技盤６側の遊技領域６ａに対応するガラス窓１２が設けられ、また下部開閉扉１０には、発射手段８に供給するための遊技球を貯留する貯留皿１３、発射手段８を作動させるための発射ハンドル１４等が設けられている。
【００１２】
上部装着部５には、遊技盤６を装着するための遊技盤装着枠１５が設けられると共に、例えばその上端側には左右一対の上部スピーカ１６が着脱自在に装着されている。遊技盤６は、遊技盤装着枠１５に対して例えば前側から装着され、１又は複数の固定具１５ａにより着脱自在に固定されており、その前面側には、発射手段８により発射された遊技球を遊技領域６ａの上部側に案内する外レール２１と、遊技領域６ａの周囲を規定する周壁の少なくとも一部を構成する内レール２２とが立設されると共に、遊技領域６ａ内には、その略中央に画像表示手段を備えたセンターケース２３が配置され、更にそのセンターケース２３の左側に通過ゲート２４が、下側に開閉式入賞手段２５及び大入賞手段２６が配置される他、普通入賞手段２７、風車２８等の各種遊技部品が装着されている。
【００１３】
下部装着部７には、その前側の例えば左右方向略中央に発射手段８が配置され、その発射手段８の左側には、図外の払い出し手段から払い出された遊技球を下部開閉扉１０側の貯留皿１３に排出するための払い出し口３１等が配置されている。
【００１４】
発射手段８は、図２に示すように、板金製の支持板３３と、この支持板３３の前面に装着された発射レール３４と、支持板３３の前面に装着され且つ発射用の遊技球を発射レール３４上に保持する球保持部３５と、支持板３３の前面で前後方向の駆動軸３６廻りに揺動自在に支持された打撃槌３７と、支持板３３の裏側に装着され且つ打撃槌３７を駆動軸３６を介して打撃方向に駆動するロータリソレノイド等の発射駆動手段３８等を備え、下部開閉扉１０側の発射ハンドル１４が操作されたときに、その操作量に応じて発射駆動手段３８により打撃槌３７を打撃方向（時計廻り）に間欠的に駆動することにより、下部開閉扉１０側の貯留皿１３から発射レール３４上に供給された遊技球を発射レール３４に沿って打撃して遊技領域６ａ側に発射させるようになっている。
【００１５】
下部開閉扉１０は、図１及び図３に示すように、下部装着部７の前側に略平行に配置される台板４１と、この台板４１の前側上部に配置される貯留皿１３と、この貯留皿１３の前側から台板４１の略全体を覆う化粧カバー４２と、この化粧カバー４２の前側に突設される発射ハンドル１４と、発射動作と連動して貯留皿１３側の遊技球を発射レール３４上に一個ずつ供給する球送り手段４３と、ファール球を貯留皿１３側に案内するファール球返却手段４４とを備えている。
【００１６】
台板４１は、例えば合成樹脂により下部装着部７を略覆う横長矩形状に形成され、その裏側には、球送り手段４３、ファール球返却手段４４等が着脱自在に装着されると共に、下部装着部７側の払い出し口３１に対応して払い出し案内樋４５が突設されており、払い出し手段（図示省略）からの遊技球が払い出し口３１から払い出し案内樋４５を経て前側の貯留皿１３に払い出されるようになっている。
【００１７】
貯留皿１３は、払い出し案内樋４５が設けられている左右方向の一端側、例えば左端側から他端側、例えば右端側に向けて緩やかに下る傾斜状に設けられ、その下流側が球送り手段４３に連通している。
【００１８】
化粧カバー４２は、貯留皿１３の前側を覆う貯留皿カバー部５１と、貯留皿１３の下側から左右両側で台板４１の前側を覆う前カバー部５２とを一体又は別体に備えている。貯留皿カバー部５１は、貯留皿１３の形状に合わせて前向き膨出状に形成されており、その前側に貸し球操作部５３、球抜き操作部５４、演出操作部５５等が設けられている。
【００１９】
前カバー部５２は、台板４１からの前向き膨出量が左右方向両端側から中央側にかけて徐々に大きくなって貯留皿カバー部５１に滑らかに繋がっており、その傾斜状の前面板５２ａ上には後ろ向きの凹入部５６が形成され、その凹入部５６内に発射ハンドル１４が配置されている。
【００２０】
凹入部５６は、台板４１に平行な略円形の底壁部５７と、この底壁部５７の外縁側を取り囲む周壁部５８とで構成されており、発射ハンドル１４は底壁部５７から前向きに突設されている。なお、周壁部５８は前広がりの略円錐面状に形成されている。
【００２１】
発射ハンドル１４は、凹入部５６の底壁部５７から前側に突出するハンドルベース６１、このハンドルベース６１の前側に前後方向の軸廻りに回動可能に支持された回転操作部６２、この回転操作部６２を反操作方向に付勢する戻しバネ（戻し付勢手段）６３、回転操作部６２の前側を覆うハンドルキャップ６４等を備えている。
【００２２】
ハンドルベース６１は、例えば合成樹脂製で、前後方向に配置された略円筒状の支持脚部６５と、この支持脚部６５の前端側に設けられた略椀形の機構収容部６６とを一体に備え、支持脚部６５の後端側が底壁部５７又は台板４１に着脱自在に固定されている。
【００２３】
機構収容部６６には、その前縁側から略円筒状のフランジ部６７が前向きに延設されると共に、内面側から例えば複数の筒状部６８が前向きに突設されている。また、機構収容部６６内には、中心部に可変抵抗器（図示省略）が、その周辺部にタッチセンサ６９、発射停止手段７０等が装着されている。
【００２４】
可変抵抗器は、回転操作部６２の回転角度を検出するためのもので、その検出軸７１を前向きに突出させた状態で配置されている。タッチセンサ６９は、遊技者が回転操作部６２に触れているか否かを検出するためのもので、検出端７２が前向きに突設されている。
【００２５】
発射停止手段７０は、発射手段８の作動を停止させるためのもので、操作レバー７３と作動スイッチ７４とで構成されている。操作レバー７３は、その一端側の停止操作部７５をフランジ部６７に設けられた切り欠き部７６から外側に突出させた状態で前後方向の軸廻りに揺動自在に支持されている。作動スイッチ７４は、発射手段８のオン／オフを切り換えるもので、操作レバー７３が押されて所定方向に揺動したときに発射手段８をオンからオフに切り換えるようになっている。
【００２６】
ハンドルベース６１の前端側に装着される回転操作部６２は、例えば合成樹脂製で、フランジ部６７の外周側に前側から嵌合する短円筒状の操作リング部７７と、この操作リング部７７の外周部の上側に外向きに突設される複数、例えば三つの指掛け部７８と、操作リング部７７の中心に配置される前後方向の操作軸７９と、操作リング部７７と操作軸７９とを連結する連結板８０とを一体に備え、例えばその外表面全体に導電性メッキが施されており、操作軸７９の後端側が可変抵抗器の検出軸７１に固定されることによりハンドルベース６１に対して回転自在に支持されている。
【００２７】
回転操作部６２の連結板８０には、操作軸７９の周方向に沿って所定長さのガイド孔８１が例えば複数設けられている。回転操作部６２は、このガイド孔８１にハンドルベース６１側の筒状部６８が前側から嵌合することにより、その操作範囲が所定の原点位置とその原点位置から時計方向（操作方向）に所定角度回転した最大操作位置との間に規制されている。なお、回転操作部６２が原点位置にあるとき、回転操作部６２側の所定部位により操作レバー７３が押され、発射手段８がオフになるように構成されている。
【００２８】
また、回転操作部６２の外周面側には、軸方向に形成された溝状の係合部８２が、周方向に多数設けられている。各係合部８２は、回転操作部６２の半径方向又はそれに近い角度で反操作方向に向けて形成された係合面８２ａと、この係合面８２ａの内縁側から反操作方向側に略直角に設けられた案内面８２ｂとで形成されている。
【００２９】
戻しバネ６３は、回転操作部６２の操作軸７９に前側から装着され、その一端側６３ａが回転操作部６２側の係合爪８３に、他端側６３ｂがタッチセンサ６９の検出端７２に夫々係合しており、回転操作部６２を反操作方向（反時計方向）に付勢すると共に回転操作部６２とタッチセンサ６９とを導通させている。
【００３０】
ハンドルキャップ６４は、合成樹脂により略半球状に形成され、その内面側にはハンドルベース６１側の筒状部６８に対応して複数の固定基部８４が後ろ向きに突設されており、後縁側を回転操作部６２の内周側に前側から嵌合させた状態で、ハンドルベース６１の後側から筒状部６８を介して固定基部８４をねじ止めすることによりハンドルベース６１に着脱自在に固定されている。
【００３１】
なお、下部開閉扉１０側の凹入部５６は、発射ハンドル１４の回転操作部６２よりも大径に形成され、発射ハンドル１４はその凹入部５６の中心部よりも下側にずれた位置に配置されている。これにより、回転操作部６２と凹入部５６側の周壁部５８との間の隙間は、指掛け部７８が配置された上部側が広く、側部から下部側にかけて徐々に狭くなっている。
【００３２】
また、凹入部５６の周壁部５８には、例えばその左下部に、５００円硬貨等、所定のコイン８５の外縁側の一部を保持する例えば溝状の保持部８６が形成されている。この保持部８６は、コイン８５の他端側（保持部８６による保持部分の反対側）が回転操作部６２側の何れかの係合部８２に反操作方向から係合するように、コイン８５を回転操作部６２の操作リング部７７の接線方向又はそれに近い角度で保持するようになっている。
【００３３】
遊技者が回転操作部６２を固定しようとする場合、回転操作部６２を任意の角度で保持した状態で、コイン８５の一端側を保持部８６に嵌め込み、コイン８５の他端側を対応する係合部８２に係合させればよい。その状態で回転操作部６２を操作方向に保持している力を緩めれば、回転操作部６２は戻しバネ６３により反操作方向に回転しようとするが、係合部８２の係合面８２ａがコイン８５の周縁部に当接するため、回転操作部６２はそのときの回転角度のままで保持される。
【００３４】
従って、遊技者は、戻しバネ６３の付勢力に抗して回転操作部６２を保持し続けなくても、回転操作部６２に触れておくだけで一定の発射強度で遊技球を発射し続けることができる。また、回転操作部６２を固定するためにコイン８５を発射ハンドル１４の隙間等に無理に挟み込む必要がないため、発射ハンドル１４の変形や損傷を生じさせることなく、回転操作部６２を任意の回転位置で容易に固定できる。
【００３５】
図９及び図１０は本発明の第２の実施形態を例示し、回転操作部６２との距離が夫々異なる複数種類の保持部８６ａ〜８６ｃを設けた例を示している。
【００３６】
本実施形態では、図９に示すように、直径が異なる三種類のコイン８５に対応する三種類の第１〜第３保持部８６ａ〜８６ｃを設けている。これら第１〜第３保持部８６ａ〜８６ｃは、例えば周壁部５８の周方向に所定間隔で配列されており、回転操作部６２との距離が最も遠い第１保持部８６ａが最も大径のコインに対応し、回転操作部６２との距離が最も近い第３保持部８６ｃが最も小径のコインに対応している。
【００３７】
また、第１〜第３保持部８６ａ〜８６ｃは、図１０（Ａ）〜（Ｃ）に示すように、夫々回転操作部６２の接線方向又はそれに近い方向にコイン８５を保持して、保持したコイン８５が係合部８２の案内面８２ｂに沿って係合面８２ａに当接するように互いに異なる角度に形成されている。
【００３８】
このように、回転操作部６２との距離が夫々異なる複数種類の保持部８６ａ〜８６ｃを設けることにより、直径が異なる複数種類のコインの何れかを用いて回転操作部６２を固定することができる。
【００３９】
なお、このようにコイン８５の大きさに応じて複数種類の保持部８６ａ〜８６ｃを設ける場合には、各保持部８６ａ〜８６ｃの近傍に、対応するコイン８５の種類を示す表示  （例えば保持部８６ａ〜８６ｃに対して「５００円硬貨」，「１０円硬貨」，「１００円硬貨」等）を行ってもよい。
【００４０】
また、例えば一種類のコイン８５を複数種類の保持部８６ａ〜８６ｃの何れに装着してもそのコイン８５の他端側が係合可能となるように係合部８２を構成すれば、コイン８５を装着する保持部８６ａ〜８６ｃを変更することにより、回転操作部６２の固定角度を微調整することが可能となる。
【００４１】
図１１は本発明の第３の実施形態を例示し、コイン８５の直径に応じて保持部８６と回転操作部６２との距離を変更可能に構成した例を示している。
【００４２】
本実施形態では、図１１に示すように、保持部８６を、周壁部５８側に移動自在に保持された可動部材９１上に設けている。保持部８６は、回転操作部６２の接線方向又はそれに近い方向にコイン８５を保持するように設けられている。可動部材９１は、保持部８６を周壁部５８側の開口部９２から発射ハンドル１４側に突出させた状態で、周壁部５８の裏側に設けられた収容部９３内に収容されている。可動部材９１は、保持部８６によって保持されるコイン８５の方向、即ち対応する係合部８２に対する遠近方向に移動可能で、且つ収容部９３内のバネ（付勢手段）９４によりその係合部８２側に付勢されている。
【００４３】
これにより、コイン８５の大きさに応じて保持部８６とそれに対応する係合部８２との距離を無段階に変更できるため、任意の大きさのコインを使用して回転操作部６２を固定することが可能である。
【００４４】
以上、本発明の実施形態について詳述したが、本発明はこれらの実施形態に限定されるものではなく、本発明の趣旨を逸脱しない範囲で種々の変更が可能である。例えば、実施形態では、下部開閉扉１０の前カバー部５２に形成された凹入部５６の周壁部５８上に保持部８６を設けたが、保持部８６は発射ハンドル１４の周辺の遊技機本体１上であればどこに設けてもよい。例えば、前向き膨出状に形成された貯留皿カバー部５１の一部を発射ハンドル１４側に延設し、その延設部分に保持部８６を設けてもよい。
【００４５】
保持部８６はコイン８５をその一端側で保持可能であればよく、例えば一対の突起部で挟んで支持するようなものでもよい。また、回転操作部６２側の係合部８２も、コイン８５の他端側に係合可能であればよく、例えば回転操作部６２の外周面から突起状に形成してもよい。
【００４６】
係合部８２の配列ピッチは任意であるが、発射強度を細かく調整できるように実施形態よりも更に細かいピッチで配列することが望ましい。
【００４７】
回転操作部６２の固定に用いるコイン８５は、５００円，１００円，１０円などの各種硬貨の他、遊技ホールで用いられる遊技メダル等も含んでいる。
【００４８】
更に、実施形態では本発明をパチンコ機に適用した例を示したが、アレンジボール機等の各種弾球遊技機において同様に実施可能であることは言うまでもない。
【図面の簡単な説明】
【００４９】
【図１】本発明の第１の実施形態を示すパチンコ機の全体正面図である。
【図２】本発明の第１の実施形態を示すパチンコ機でガラス扉及び下部開閉扉を外した状態の正面図である。
【図３】下部開閉扉の平面図である。
【図４】発射ハンドル及びその近傍の正面部分断面図である。
【図５】コインで回転操作部を固定した状態を示す発射ハンドルの正面断面図である。
【図６】コインで回転操作部を固定した状態を示す発射ハンドル及びその近傍の平面部分断面図である。
【図７】コインで回転操作部を固定した状態を示す発射ハンドル及びその近傍の側面部分断面図である。
【図８】発射ハンドルの分解斜視図である。
【図９】本発明の第２の実施形態を示す発射ハンドルの正面部分断面図である。
【図１０】異なる直径のコインを用いて回転操作部を固定した状態を示す説明図である。
【図１１】本発明の第３の実施形態で異なる直径のコインを用いて回転操作部を固定した状態を示す説明図である。
【符号の説明】
【００５０】
１    遊技機本体
６ａ  遊技領域
８    発射手段
１４    発射ハンドル
６１    ハンドルベース
６２    回転操作部
６３    戻しバネ（戻し付勢手段）
８２    係合部
８５    コイン
８６    保持部
８６ａ〜８６ｃ    第１〜第３保持部
９４    付勢手段
【図１】
0004713563.tif 000002
【図２】
0004713563.tif 000003
【図３】
0004713563.tif 000004
【図４】
0004713563.tif 000005
【図５】
0004713563.tif 000006
【図６】
0004713563.tif 000007
【図７】
0004713563.tif 000008
【図８】
0004713563.tif 000009
【図９】
0004713563.tif 000010
【図１０】
0004713563.tif 000011
【図１１】
0004713563.tif 000012